(57)【要約】【課題】部品点数を増加させることなく、スタンド部材を筐体に容易に、かつ、強固に取り付けることが可能な液晶テレビジョンを提供する。【解決手段】この液晶テレビジョン１では、リアキャビネット２０には、リアキャビネット２０の内面２０ｂ側から突出するようにＬ字形状に形成されるフック部２０ｆが一体的に設けられる。また、保持部材４０には、フック部２０ｆに対応する部分に、フック部２０ｆが挿入されるフック係合孔４０ｃが設けられている。また、リアキャビネット２０の内面２０ｂ側からフック部２０ｆが突出する長さＬ１は、保持部材４０の厚みＬ２と実質的に等しい。また、Ｌ字形状のフック部２０ｆには、先端がテーパー形状に形成されたテーパー部２０ｇが形成されている。また、保持部材４０は、フック係合孔４０ｃがフック部２０ｆ係合することにより、リアキャビネット２０に保持される。また、スタンド部材３０は、リアキャビネット２０を介して、金属製の板材からなる保持部材４０にネジ止めされている。【選択図】図５
2006173849.tif 000002
【特許請求の範囲】
【請求項１】
樹脂製の筐体と、前記筐体の外面側に取り付けられ、前記筐体を支持するスタンド部材と、前記筐体を挟んで前記スタンド部材に対向するように前記筐体の内面側に配置され、前記スタンド部材を前記筐体を介して固定するための金属製の板材からなる保持部材とを備えた液晶テレビジョンにおいて、
前記樹脂製の筐体には、前記筐体の内面側から突出するようにＬ字形状のフック部が一体的に設けられるとともに、前記金属製の板材からなる保持部材には、前記筐体のフック部に対応する部分に、前記Ｌ字形状のフック部が挿入されるフック係合孔が設けられており、
前記筐体の内面から前記Ｌ字形状のフック部が突出する長さは、前記保持部材の厚みと実質的に等しく、
前記Ｌ字形状のフック部は、先端がテーパー形状に形成されており、
前記保持部材は、前記保持部材の前記フック係合孔を前記筐体の前記フック部に挿入した状態で前記保持部材を下方に移動させることにより、前記フック係合孔が前記フック部に当接して、前記筐体に保持され、
前記スタンド部材は、前記樹脂製の筐体を介して、前記金属製の板材からなる保持部材にネジ止めされている、液晶テレビジョン。
【請求項２】
筐体と、
前記筐体の外面側に取り付けられ、前記筐体を支持するスタンド部材と、
前記筐体を挟んで前記スタンド部材に対向するように前記筐体の内面側に配置され、前記スタンド部材を前記筐体を介して固定するための金属製の板材からなる保持部材とを備え、
前記筐体の内面側には、フック部が一体的に設けられるとともに、前記保持部材には、前記筐体のフック部に対応する部分に前記フック部に係合するフック係合部が設けられており、
前記保持部材は、前記保持部材のフック係合部が前記筐体のフック部に係合することにより、前記筐体に保持される、表示装置。
【請求項３】
前記筐体のフック部は、前記筐体の内面側から突出するようにＬ字形状に形成されるとともに、前記保持部材のフック係合部は、前記Ｌ字形状のフック部が挿入されるフック係合孔を含み、
前記保持部材は、前記保持部材の前記フック係合孔を前記筐体の前記フック部に挿入した状態で前記保持部材を下方に移動させることにより、前記フック係合孔が前記フック部に当接して、前記筐体に保持される、請求項２に記載の表示装置。
【請求項４】
前記筐体の内面から前記フック部が突出する長さは、前記保持部材の厚みと実質的に等しい、請求項２または３に記載の表示装置。
【請求項５】
前記フック部は、先端がテーパー形状に形成されている、請求項２〜４のいずれか１項に記載の表示装置。
【発明の詳細な説明】
【技術分野】
【０００１】
この発明は、液晶テレビジョンおよび表示装置に関し、特に、スタンド部材を備えた液晶テレビジョンおよび表示装置に関する。
【背景技術】
【０００２】
従来、スタンド部材を備えた液晶テレビジョンなどの表示装置が種々提案されている（たとえば、特許文献１および２参照）。
【０００３】
上記特許文献１には、フロントベゼルおよびリアベゼル（保持部材）により挟持された液晶パネルをスタンドに支持させる液晶表示装置が開示されている。この特許文献１に開示された液晶表示装置では、液晶パネルとリアベゼルとの間に配置される回路基板からの電波障害を防止する機能を有するリアベゼルに取り付けられたインサートナットに、スタンドおよびリアケース（筐体）のネジ挿入孔を介して、ネジを締め付けることによって、スタンドに液晶パネルを支持させている。
【０００４】
また、上記特許文献２には、スタンドに回動可能に取り付けられるヒンジ部のブラケットプレートのネジ挿入穴を介して、ディスプレイの筐体のネジ孔にネジを締め付けることによって、ディスプレイをスタンドにより回動可能に支持することが可能なディスプレイ構造が開示されている。
【０００５】
図１０は、従来の一例による液晶テレビジョンの全体構成を示した平面図である。図１１〜図１３は、図１０に示した従来の液晶テレビジョンの詳細構造を説明するための図である。図１０〜図１３を参照して、従来の液晶テレビジョン１００の構造について説明する。
【０００６】
従来の一例による液晶テレビジョン１００は、図１０および図１１に示すように、樹脂製のリアキャビネット１１０と、リアキャビネット１１０の外面１１０ａに取り付けられるスタンド部材１２０と、リアキャビネット１１０を挟んでスタンド部材１２０に対向するようにリアキャビネット１１０の内面１１０ｂ側に配置される金属製の板材からなる保持部材１３０とを備えている。
【０００７】
また、図１０および図１３に示すように、リアキャビネット１１０の外面１１０ａには、スタンド部材１２０が収納されるスタンド部材収納部１１０ｃが形成されている。このスタンド部材収納部１１０ｃは、リアキャビネット１１０の外面１１０ａに凹状に形成されている。また、スタンド部材収納部１１０ｃには、図１１および図１３に示すように、ネジ１５０を挿入するためのネジ挿入孔１１０ｄと、開口部１１０ｅ（図１１参照）とが設けられている。
【０００８】
また、スタンド部材１２０は、図１１に示すように、ベース部材１２１と、ベース部材１２１に回動可能に取り付けられる回動部材１２２と、回動部材１２２に取り付けられるパイプ状の脚部材１２３とを備えている。また、ベース部材１２１には、リアキャビネット１１０のスタンド部材収納部１１０ｃに設けられたネジ挿入孔１１０ｄに対応する位置にネジ挿入孔１２１ａが設けられている。また、脚部材１２３には、接地部材１２４が取り付けられている。
【０００９】
また、図１１および図１２に示すように、保持部材１３０は、四隅に形成された脚部１３０ａと、平坦面部１３０ｂとを有している。この四隅に形成された脚部１３０ａは、リ
アキャビネット１１０の内面１１０ｂに当接するように形成されている。また、平坦面部１３０ｂは、リアキャビネット１１０のスタンド部材収納部１１０ｃの内面側に当接するように形成されている。また、この平坦面部１３０ｂには、図１１および図１３に示すように、リアキャビネット１１０のスタンド部材収納部１１０ｃに形成されたネジ挿入孔１１０ｄおよびスタンド部材１２０のベース部材１２１に形成されたネジ挿入孔１２１ａに対応する位置にネジ孔１３０ｃが設けられている。また、平坦面部１３０ｂには、図１１および図１２に示すように、開口部１３０ｄが設けられている。
【００１０】
図１４および図１５は、液晶テレビジョンのスタンド部材の取付方法を説明するための断面図である。次に、図１３〜図１５を参照して、液晶テレビジョン１００のスタンド部材１２０の取付方法を説明する。まず、図１４に示すように、リアキャビネット１１０の外面１１０ａ側にスタンド部材１２０を配置するとともに、リアキャビネット１１０の内面１１０ｂ側に保持部材１３０を配置する。この状態から、保持部材１３０を図１４の矢印Ｃ方向に移動させるとともに、スタンド部材１２０を図１４の矢印Ｄ方向に移動させる。これにより、図１５に示すように、リアキャビネット１１０の外面１１０ａのスタンド部材収納部１１０ｃに収納されたスタンド部材１２０と、リアキャビネット１１０の内面１１０ｂ側に配置された保持部材１３０とにより、リアキャビネット１１０を挟み込んだ状態となる。そして、作業者は、目視で、スタンド部材１２０のベース部材１２１に形成されたネジ挿入孔１２１ａと、リアキャビネット１１０のネジ挿入孔１１０ｄと、保持部材１３０のネジ孔１３０ｃとの位置を合わせるとともに、保持部材１３０がその位置からずれないように一方の手で保持する。さらに、この状態から、作業者は、他方の手を用いて、スタンド部材１２０の外側からネジ１５０を、スタンド部材１２０のベース部材１２１のネジ挿入孔１２１ａおよびリアキャビネット１１０のネジ挿入孔１１０ｄを介して、保持部材１３０のネジ孔１３０ｃに締め付ける。このようにして、図１３に示すように、リアキャビネット１１０へのスタンド部材１２０の取り付けが完了する。
【００１１】
ところで、従来では、係合爪（フック部）をスリット（フック係合孔）に係合させることにより、部材を取り付ける構造が提案されている（たとえば、特許文献３参照）。上記特許文献３には、電子機器のフレームに設けられたスリットに、木材などからなる外装板に取り付けられた金属製の係合爪を係合させることによって、外装板を電子機器の側面に配置させることが可能な電子機器の取付構造が開示されている。
【特許文献１】特開２００３−１５５４２号公報
【特許文献２】実用新案登録第３０９７８４２号公報
【特許文献３】特開平６−１２０６７６号公報
【発明の開示】
【発明が解決しようとする課題】
【００１２】
図１０〜図１５に示した従来の液晶テレビジョン１００では、スタンド部材１２０をネジ１５０によりリアキャビネット１１０の外面１１０ａ側から取り付ける際に、作業者は、保持部材１３０を一方の手で押さえた状態で、他方の手を用いてネジ１５０を締め付ける必要があったため、ネジ１５０を締め付ける作業を行いにくいという問題点があった。
【００１３】
また、上記特許文献１に開示された液晶表示装置では、スタンドに液晶パネルを取り付ける際に、作業者は、目視で、リアベゼルに取り付けられたインサートナットと、リアケースのネジ挿入孔との位置を合わせた状態を一方の手で保持するとともに、他方の手を用いて、スタンドおよびリアケースのネジ挿入孔を介して、リアベゼルに取り付けられたインサートナットに対してネジを締め付ける必要があるため、スタンドに液晶パネルを取り付ける作業を行いにくいという問題点がある。
【００１４】
また、上記特許文献２に開示されたディスプレイ構造では、明記はされていないが、通常、樹脂により形成されるディスプレイの筐体に直接ネジを締め付けることによりディスプレイをスタンドに支持させているため、ディスプレイをディスプレイの筐体に対して強固に取り付けることが困難であるという問題点がある。
【００１５】
また、上記特許文献３に開示された電子機器の取付構造では、電子部品の金属製のフレームの側面に木製の外装板を配置するために、外装板に金属製の係合爪を設ける必要がある。このため、係合爪を設ける分だけ、部品点数が増加するという問題点がある。
【００１６】
この発明は、上記のような課題を解決するためになされたものであり、この発明の１つの目的は、部品点数を増加させることなく、スタンド部材を筐体に容易に、かつ、強固に取り付けることが可能な液晶テレビジョンおよび表示装置を提供することである。
【課題を解決するための手段】
【００１７】
上記目的を達成するために、この発明の第１の局面による液晶テレビジョンは、樹脂製の筐体と、筐体の外面側に取り付けられ、筐体を支持するスタンド部材と、筐体を挟んでスタンド部材に対向するように筐体の内面側に配置され、スタンド部材を筐体を介して固定するための金属製の板材からなる保持部材とを備えた液晶テレビジョンにおいて、樹脂製の筐体には、筐体の内面側から突出するようにＬ字形状のフック部が一体的に設けられるとともに、金属製の板材からなる保持部材には、筐体のフック部に対応する部分に、Ｌ字形状のフック部が挿入されるフック係合孔が設けられており、筐体の内面からＬ字形状のフック部が突出する長さは、保持部材の厚みと実質的に等しく、Ｌ字形状のフック部は、先端がテーパー形状に形成されており、保持部材は、保持部材のフック係合孔を筐体のフック部に挿入した状態で保持部材を下方に移動させることにより、フック係合孔がフック部に当接して、筐体に保持され、スタンド部材は、樹脂製の筐体を介して、金属製の板材からなる保持部材にネジ止めされている。
【００１８】
この第１の局面による液晶テレビジョンでは、上記のように、筐体の内面側にフック部を設けるとともに、保持部材にフック部に対応する部分にフック部に係合するフック係合孔を設けることによって、筐体の内面側の所定の位置に保持部材を仮固定することができる。これにより、スタンド部材を筐体を介して保持部材に固定する際に、作業者が手で保持部材を押さえる必要がないので、容易に、ネジの締め付け作業を行うことができる。これにより、容易に、スタンド部材を筐体を介して保持部材に取り付けることができる。また、筐体の内面側にフック部を一体的に設けることによって、フック部を設けたとしても、部品点数が増加するのを抑制することができる。また、金属製の板材からなる保持部材を用いることによって、保持部材が樹脂などからなる場合に比べて、スタンド部材を保持部材に対して強固に取り付けることができる。また、筐体のフック部を、筐体の内面側から突出するようにＬ字形状に形成するとともに、保持部材のフック係合孔を、Ｌ字形状のフック部が挿入されるように形成することによって、保持部材を、容易に、筐体の内面側の所定の位置に仮固定することができる。また、筐体の内面側からフック部が突出する長さを、保持部材の厚みと実質的に等しくすることによって、保持部材の厚み分突出したフック部により保持部材を隙間なく保持することができるので、保持部材を確実に仮固定することができる。また、フック部の先端をテーパー形状に形成することによって、フック部のフック係合孔が係合される部分の先端の幅が大きくなるので、容易に、保持部材のフック係合孔を筐体のフック部に係合させることができる。
【００１９】
この発明の第２の局面による表示装置は、筐体と、筐体の外面側に取り付けられ、筐体を支持するスタンド部材と、筐体を挟んでスタンド部材に対向するように筐体の内面側に配置され、スタンド部材を筐体を介して固定するための金属製の板材からなる保持部材とを備え、筐体の内面側には、フック部が一体的に設けられるとともに、保持部材には、筐
体のフック部に対応する部分にフック部に係合するフック係合部が設けられており、保持部材は、保持部材のフック係合部が筐体のフック部に係合することにより、筐体に保持される。
【００２０】
この第２の局面による表示装置では、上記のように、筐体の内面側にフック部を設けるとともに、保持部材にフック部に対応する部分にフック部に係合するフック係合部を設けることによって、筐体の内面側の所定の位置に保持部材を仮固定することができる。これにより、スタンド部材を筐体を介して保持部材に固定する際に、作業者が手で保持部材を押さえる必要がないので、容易に、ネジの締め付け作業を行うことができる。これにより、容易に、スタンド部材を筐体を介して保持部材に取り付けることができる。また、筐体の内面側にフック部を一体的に設けることによって、フック部を設けたとしても、部品点数が増加するのを抑制することができる。また、スタンド部材を筐体を介して固定するための金属製の板材からなる保持部材を設けることによって、保持部材が樹脂などからなる場合に比べて、スタンド部材を保持部材に対して強固に取り付けることができる。
【００２１】
上記第２の局面による表示装置において、好ましくは、筐体のフック部は、筐体の内面側から突出するようにＬ字形状に形成されるとともに、保持部材のフック係合部は、Ｌ字形状のフック部が挿入されるフック係合孔を含み、保持部材は、保持部材のフック係合孔を筐体のフック部に挿入した状態で保持部材を下方に移動させることにより、フック係合孔がフック部に当接して、筐体に保持される。このように構成すれば、保持部材を、容易に、筐体の内面側の所定の位置に仮固定することができる。
【００２２】
上記第２の局面による表示装置において、好ましくは、筐体の内面からフック部が突出する長さは、保持部材の厚みと実質的に等しい。このように構成すれば、保持部材の厚み分突出したフック部により保持部材を隙間なく保持することができるので、保持部材を確実に仮固定することができる。
【００２３】
上記第２の局面による表示装置において、好ましくは、フック部は、先端がテーパー形状に形成されている。このように構成すれば、フック部のフック係合部が係合される部分の先端の幅が大きくなるので、容易に、保持部材のフック係合部を筐体のフック部に係合させることができる。
【発明を実施するための最良の形態】
【００２４】
以下、本発明を具体化した実施形態を図面に基づいて説明する。
【００２５】
図１は、本発明の一実施形態による液晶テレビジョンの全体構成を示した平面図である。図２〜図７は、図１に示した本発明の一実施形態による液晶テレビジョンの詳細構造を説明するための図である。なお、本実施形態では、本発明の表示装置を液晶テレビジョン１に適用した場合について説明する。
【００２６】
本発明の一実施形態による液晶テレビジョン１は、図１〜図４に示すように、樹脂製のフロントキャビネット１０およびリアキャビネット２０と、リアキャビネット２０の外面２０ａに取り付けられるスタンド部材３０と、リアキャビネット２０を挟んでスタンド部材３０に対向するようにリアキャビネット２０の内面２０ｂ側に配置される金属製の板材からなる保持部材４０と、画像や文字などの映像を表示する液晶表示ユニット５０とを備えている。なお、リアキャビネット２０は、本発明の「筐体」の一例である。
【００２７】
また、図１および図７に示すように、リアキャビネット２０の外面２０ａには、スタンド部材３０が収納されるスタンド部材収納部２０ｃが形成されている。このスタンド部材収納部２０ｃは、リアキャビネット２０の外面２０ａに凹状に形成されている。この凹状
のスタンド部材収納部２０ｃにスタンド部材３０が収納されることによって、スタンド部材３０が、リアキャビネット２０の外面２０ａから突出することなく収納される。また、スタンド部材収納部２０ｃには、図４および図５に示すように、ネジ６０を挿入するためのネジ挿入孔２０ｄと、開口部２０ｅ（図４参照）とが設けられている。
【００２８】
ここで、本実施形態では、図５および図６に示すように、リアキャビネット２０の内面２０ｂ側には、リアキャビネット２０の内面２０ｂから突出するようにＬ字形状の一対のフック部２０ｆが一体的に設けられている。また、図５に示すように、Ｌ字形状のフック部２０ｆが突出する長さＬ１は、保持部材４０の厚みＬ２と実質的に等しくなるように形成されている。また、フック部２０ｆの先端には、テーパー形状に形成されたテーパー部２０ｇが設けられている。
【００２９】
また、スタンド部材３０は、図４に示すように、ベース部材３１と、ベース部材３１に回動可能に取り付けられる回動部材３２と、回動部材３２に取り付けられるパイプ状の脚部材３３とを備えている。また、ベース部材３１には、リアキャビネット２０のスタンド部材収納部２０ｃに設けられたネジ挿入孔２０ｄに対応する位置にネジ挿入孔３１ａが設けられている。また、脚部材３３には、樹脂やゴムからなる一対の接地部材３４が取り付けられている。また、スタンド部材３０は、図２に示すように、回動部材３２および脚部材３３がベース部材３１に対して所定の角度回動することにより、液晶テレビジョン１を支持する。
【００３０】
また、図３および図４に示すように、金属製の板材からなる保持部材４０は、四隅に形成された脚部４０ａと、平坦面部４０ｂとを有している。この四隅に形成された脚部４０ａは、リアキャビネット２０の内面２０ｂに当接するように形成されている。また、平坦面部４０ｂは、リアキャビネット２０のスタンド部材収納部２０ｃの内面２０ｂに当接するように形成されている。
【００３１】
また、本実施形態では、図３、図４および図６に示すように、保持部材４０の平坦面部４０ｂには、リアキャビネット２０の一対のフック部２０ｆに対応する部分に、Ｌ字形状のフック部２０ｆが挿入される一対のフック係合孔４０ｃが設けられている。
【００３２】
また、この平坦面部４０ｂには、図４および図５に示すように、リアキャビネット２０のスタンド部材収納部２０ｃに形成されたネジ挿入孔２０ｄおよびスタンド部材３０のベース部材３１に形成されたネジ挿入孔３１ａに対応する位置にネジ孔４０ｄが設けられている。また、平坦面部４０ｂには、開口部４０ｅが設けられている。
【００３３】
図８および図９は、液晶テレビジョンのスタンド部材の取付方法を説明するための断面図である。次に、図５、図８および図９を参照して、液晶テレビジョン１のスタンド部材３０の取付方法を説明する。まず、図８に示すように、リアキャビネット２０の外面２０ａ側にスタンド部材３０を配置するとともに、リアキャビネット２０の内面２０ｂ側に保持部材４０を配置する。この状態から、保持部材４０を、図８の矢印方向Ａ方向に移動させることにより、保持部材４０の一対のフック係合孔４０ｃを、リアキャビネット２０に形成された一対のフック部２０ｆに挿入する。さらに、保持部材４０を、下方（図８の矢印方向Ｂ方向）に移動させることにより、保持部材４０のフック係合孔４０ｃがリアキャビネット２０のフック部２０ｆに当接する。このようにして、保持部材４０がリアキャビネット２０のフック部２０ｆに仮固定されて、図９に示す状態となる。この状態では、リアキャビネット２０のネジ挿入孔２０ｄと、保持部材４０のネジ孔４０ｄとの位置が一致した状態が維持されている。さらに、この状態からスタンド部材３０のベース部材３１をリアキャビネット２０のスタンド部材収納部２０ｃに嵌め込む。これにより、ベース部材３１のネジ挿入孔３１ａが、リアキャビネット２０のネジ挿入孔２０ｄおよび保持部材４
０のネジ孔４０ｄの位置と一致した状態となる。そして、スタンド部材３０の外側からネジ６０を、スタンド部材３０のベース部材３１のネジ挿入孔３１ａおよびリアキャビネット２０のネジ挿入孔２０ｄを介して、保持部材４０のネジ孔４０ｄに締め付ける。このようにして、図５に示すように、リアキャビネット２０へのスタンド部材３０の取り付けが完了する。
【００３４】
本実施形態では、上記のように、リアキャビネット２０の内面２０ｂ側に一対のフック部２０ｆを設けるとともに、保持部材４０に一対のフック部２０ｆに対応する部分にフック部２０ｆに係合する一対のフック係合孔４０ｃを設けることによって、リアキャビネット２０の内面２０ｂ側の所定の位置に保持部材４０を配置することができる。これにより、スタンド部材３０をリアキャビネット２０を介して保持部材４０に固定する際に、作業者が手で保持部材４０を押さえる必要がないので、容易に、ネジ６０の締め付け作業を行うことができる。これにより、容易に、スタンド部材３０をリアキャビネット２０を介して保持部材４０に取り付けることができる。
【００３５】
また、本実施形態では、リアキャビネット２０の内面２０ｂ側にフック部２０ｆを一体的に設けることによって、フック部２０ｆを設けたとしても、部品点数が増加するのを抑制することができる。また、金属製の板材からなる保持部材４０を用いることによって、保持部材４０が樹脂などからなる場合に比べて、スタンド部材３０を保持部材４０に対して強固に取り付けることができる。
【００３６】
また、本実施形態では、リアキャビネット２０のフック部２０ｆを、リアキャビネット２０の内面２０ｂ側から突出するようにＬ字形状に形成するとともに、保持部材４０のフック係合孔４０ｃを、Ｌ字形状のフック部２０ｆが挿入されるように形成することによって、保持部材４０を、容易に、リアキャビネット２０の内面２０ｂ側の所定の位置に仮固定することができる。
【００３７】
また、本実施形態では、リアキャビネット２０の内面２０ｂ側からフック部２０ｆが突出する長さＬ１（図５参照）を、保持部材４０の厚みＬ２（図５参照）と実質的に等しくすることによって、保持部材４０の厚みＬ２分突出したフック部２０ｆにより保持部材４０を隙間なく保持することができるので、保持部材４０を確実に仮固定することができる。
【００３８】
また、本実施形態では、フック部２０ｆの先端にテーパー形状に形成されたテーパー部２０ｇを設けることによって、フック部２０ｆのフック係合孔４０ｃが係合される部分の先端の幅が大きくなるので、容易に、保持部材４０のフック係合孔４０ｃをリアキャビネット２０のフック部２０ｆに係合させることができる。
【００３９】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４０】
たとえば、上記実施形態では、本発明を、表示装置の一例としての液晶テレビジョンに適用した例を示したが、本発明はこれに限らず、スタンド部材が筐体を介して保持部材に取り付けられる表示装置であれば、プラズマディスプレイなどの表示装置に適用してもよい。
【００４１】
また、上記実施形態では、リアキャビネットに設けられたフック部をＬ字形状に形成する例を示したが、本発明はこれに限らず、フック部はＬ字形状でなくてもよい。
【００４２】
また、上記実施形態では、フック部の先端をテーパー形状に形成する例を示したが、本発明はこれに限らず、フック部の先端にテーパー形状を設けなくてもよい。
【００４３】
また、上記実施形態では、フック部が突出する長さを保持部材の厚みと実質的に等しくする例を示したが、本発明はこれに限らず、フック部が突出する長さを保持部材の厚みよりも大きくしてもよい。
【図面の簡単な説明】
【００４４】
【図１】本発明の一実施形態による液晶テレビジョンの全体構成を示した平面図である。
【図２】図１に示した本発明の一実施形態による液晶テレビジョンの側面図である。
【図３】図１に示した本発明の一実施形態による液晶テレビジョンの内面側の平面図である。
【図４】図１に示した本発明の一実施形態による液晶テレビジョンの分解斜視図である。
【図５】図３の２００−２００線に沿った断面図である。
【図６】図１に示した本発明の一実施形態による液晶テレビジョンのフック部の拡大図である。
【図７】図４の３００−３００線に沿った断面図である。
【図８】図１に示した本発明の一実施形態による液晶テレビジョンのスタンド部材の取付方法を説明するための断面図である。
【図９】図１に示した本発明の一実施形態による液晶テレビジョンのスタンド部材の取付方法を説明するための断面図である。
【図１０】従来の一例による液晶テレビジョンの全体構成を示した平面図である。
【図１１】図１０に示した従来の液晶テレビジョンの分解斜視図である。
【図１２】図１０に示した従来の液晶テレビジョンの内面側の平面図である。
【図１３】図１２の４００−４００線に沿った断面図である。
【図１４】図１０に示した従来の液晶テレビジョンのスタンド部材の取付方法を説明するための断面図である。
【図１５】図１０に示した従来の液晶テレビジョンのスタンド部材の取付方法を説明するための断面図である。
【符号の説明】
【００４５】
１  液晶テレビジョン（表示装置）
２０  リアキャビネット（筐体）
２０ａ  外面
２０ｂ  内面
２０ｆ  フック部
３０  スタンド部材
４０  保持部材
４０ｃ  フック係合孔
【図１】
2006173849.tif 000003
【図２】
2006173849.tif 000004
【図３】
2006173849.tif 000005
【図４】
2006173849.tif 000006
【図５】
2006173849.tif 000007
【図６】
2006173849.tif 000008
【図７】
2006173849.tif 000009
【図８】
2006173849.tif 000010
【図９】
2006173849.tif 000011
【図１０】
2006173849.tif 000012
【図１１】
2006173849.tif 000013
【図１２】
2006173849.tif 000014
【図１３】
2006173849.tif 000015
【図１４】
2006173849.tif 000016
【図１５】
2006173849.tif 000017